(57)【特許請求の範囲】
【請求項１】
地上面からサイロ本体上部の材料投入口に渡り架設したフレームに案内レールを配設し、該案内レールの摺動面と摺接回転するローラを配設したアスファルト合材搬送用バケットをウインチの正逆回転による索条の巻き上げ、繰り出しにより昇降させるアスファルト合材サイロの垂直搬送装置において、前記バケットの下端部に枢支ピンにより回動自在に枢支した開閉ゲートを配設すると共に、前記フレームの上部にはバケット下部の排出口がサイロ本体上部の材料投入口に臨む位置に到達したことを検出するバケット検出センサーを備え、該バケット検出センサーにてバケットがサイロ本体上部の材料投入口に到達したことを検出すれば前記開閉ゲートの一部を押圧して開閉ゲートを開放するシリンダを前記フレームに配設したことを特徴とするアスファルト合材サイロの垂直搬送装置。
【発明の詳細な説明】
【０００１】
【発明の属する技術分野】
本発明は、舗装用材料として用いられるアスファルト合材を一時貯蔵するアスファルト合材サイロの垂直搬送装置に関する。
【０００２】
【従来の技術】
従来、アスファルト合材サイロにアスファルト合材を搬送する垂直搬送装置としては、実公昭６０−３３１３０号公報に記載されているように、地上面からサイロ本体上部の材料投入口に渡り架設したフレームに案内レールを配設し、該案内レールに合材搬送用バケットを昇降自在に配設し、ウインチにより前記バケットに連結した索条を巻き上げたり繰り出したりしてバケットを昇降させるようにしたものがある。そして、この従来の垂直搬送装置にあっては、前記バケットの下部にアスファルト合材を排出するための開閉ゲートを回動自在に配設すると共に、開閉ゲートの側面にゲートローラを回動自在に配設し、ウインチの駆動によって前記バケットが上昇してサイロ本体上部の材料投入口に到達すると、前記フレーム側に配設した開閉ゲートを開放するためのゲートローラ誘導レールに前記ゲートローラが誘導され、合材搬送用バケットが更に前進すると、開閉ゲートを開放して合材搬送用バケット内のアスファルト合材をアスファルト合材サイロに投入するようになっている。
【０００３】
【発明が解決しようとする課題】
しかしながら、上記従来のように、合材搬送用バケットを移動させながら開閉ゲートを開放すると、アスファルト合材が周囲に飛散し易くなって材料投入口付近を汚す欠点があった。
【０００４】
本発明は上記の点に鑑み、合材搬送用バケットから合材サイロへの材料投入を正確に行って材料投入口付近に材料を散らかさないようにしたアスファルト合材サイロの垂直搬送装置を提供することを課題とする。
【０００５】
【課題を解決するための手段】
本発明は上記の課題を達成するために、地上面からサイロ本体上部の材料投入口に渡り架設したフレームに案内レールを配設し、該案内レールの摺動面と摺接回転するローラを配設したアスファルト合材搬送用バケットをウインチの正逆回転による索条の巻き上げ、繰り出しにより昇降させるアスファルト合材サイロの垂直搬送装置において、前記バケットの下端部に枢支ピンにより回動自在に枢支した開閉ゲートを配設すると共に、前記フレームの上部にはバケット下部の排出口がサイロ本体上部の材料投入口に臨む位置に到達したことを検出するバケット検出センサーを備え、該バケット検出センサーにてバケットがサイロ本体上部の材料投入口に到達したことを検出すれば前記開閉ゲートの一部を押圧して開閉ゲートを開放するシリンダを前記フレームに配設したことを特徴としている。
【０００６】
【発明の実施の形態】
本発明に係るアスファルト合材サイロの垂直搬送装置にあっては、アスファルト合材搬送用バケットをウインチによりサイロ本体上部に引上げ、バケットがサイロ本体の材料投入口の上位に到達するとバケットを停止させる。そして、フレームに配設したシリンダを作動させ、シリンダのピストンロッドの先端をバケットの開閉ゲートの一部に当接させ、これを押圧しながら開閉ゲートを回動させて開放し、バケット内のアスファルト合材をサイロ本体内に投入する。このように、バケット停止後にアスファルト合材を排出するので材料を周囲に飛散させることはない。また、バケットの開閉ゲートを開放させるシリンダを移動するバケットではなくフレーム側に取り付けることによってエアー供給配管の装置構成が簡素化される。
【０００７】
【実施例】
以下、本発明に係るアスファルト合材サイロの垂直搬送装置の実施例を図面に基づいて説明する。
【０００８】
図中の１は架台２上に載置したアスファルト合材サイロ本体であって、アスファルトプラント（図示せず）により製造される１６０℃前後のアスファルト合材を一時貯蔵するもので加熱保温構造とし、上部に材料投入口３を、下部に材料排出口４を有している。
【０００９】
５は垂直搬送装置であって、地上面から前記サイロ本体１上部に渡ってフレーム６を架設し、該フレーム６には略コ字形状の内面を摺動面とした一対の案内レール７を対向させてフレーム６の長手方向に沿って配設している。
【００１０】
案内レール７には前記摺動面に摺接して回転するローラ８を回転自在に配設したアスファルト合材搬送用バケット９を配設し、該バケット９には索条１０の一端部が締結され、該索条１０は回転自在に配設した滑車１１を介してウインチ１２に巻き付けられ、ウインチ１２の正逆回転により前記索条１０の巻き上げ、繰り出しをすることによってアスファルト合材搬送用バケット９を前記案内レール７に沿って昇降させるようにしている。
【００１１】
前記バケット９は上部に材料の受入口１３を、下部に排出口１４を有しており、下部の排出口１４には排出口１４を開閉する開閉ゲート１５を配設している。開閉ゲート１５はバケット９の側壁に固着した枢支ピン１６により回動自在に枢着され、更に、バケット９の側壁には開閉ゲート１５が排出口１４を閉塞する位置より前方には回動しても後方には回動しないように開閉ゲート１５の後方にゲート開放阻止手段としてストッパー１７を固着している。
【００１２】
フレーム６の上部には、シリンダ１８を配設しており、該シリンダ１８のピストンロッド１９の先端部には前記開閉ゲート１５の側面に取り付けたゲートローラ２０を押圧する押圧板２１を取り付けている。
【００１３】
また、フレーム６の上部には、バケット９の排出口１４がサイロ本体１の材料投入口３に臨む位置に到達したことを検出するバケット検出センサー２２を取り付けており、該バケット検出センサー２２としては、例えば、近接スイッチやリミットスイッチあるいは光電スイッチなどを採用することができる。
【００１４】
次に、本発明に係るアスファルト合材サイロの垂直搬送装置によってアスファルト合材を搬送する場合の各装置の動作状況について説明する。
【００１５】
アスファルトプラントにより製造されたアスファルト合材は予め垂直搬送装置のフレーム６の下部に待機させたアスファルト合材搬送用バケット９に投入される。該バケット９にアスファルト合材を受け入れると、ウインチ１２を駆動して索条１０を巻き上げ、バケット９をフレーム６に配設された案内レール７に沿って引き上げる。
【００１６】
バケット９が上昇過程にあるとき、バケット９は横たわるような状態に傾きながら上昇し、バケット９下部に配設した開閉ゲート１５が自重で下方に回動しようとするが、開閉ゲート１５の後方に設けたストッパー１７が下方に回動しようとするのを阻止して開閉ゲート１５が開放するのを防止する。
【００１７】
この状態で更に上昇し、サイロ本体１上部に移動すると、フレーム６の上部に配設したバケット検出センサー２２によりバケット９が検出され、ウインチ１２の駆動を停止するとバケット９の排出口１４がサイロ本体１上部の材料投入口３に臨む位置で停止する。停止したバケット９の姿勢は開閉ゲート１５を下方に位置するように案内レール７に懸垂している状態となる。
【００１８】
バケット９がサイロ本体１の上部で停止すると、シリンダ１８のピストンロッド１９を伸長させ、ピストンロッド１９の先端に取り付けた押圧板２１によって開閉ゲート１５のゲートローラ２０を押圧し、開閉ゲート１５を前方に回動させて開閉ゲート１５を開放する。
【００１９】
このようにして、バケット９をサイロ本体１の材料投入口３の上位に停止させた状態で開閉ゲート１５を回動させて開閉ゲート１５を開放させることができ、アスファルト合材の排出中にバケット９が動揺することもなくアスファルト合材を周囲に飛散させずにすむ。
【００２０】
また、図３はバケット９の開閉ゲート１５について別の開閉機構を採用した別の実施例を示すもので、開閉ゲート１５を開閉するシリンダ１８´をフレーム６の上部、即ち、案内レール７側に取り付けると共に、開閉ゲート１５の上部に開閉用のアーム２３を取り付け、該アーム２３の先端部にローラ２４を取り付けたもので、バケット９がサイロ本体１の上部で停止すると、シリンダ１８´のピストンロッド１９´を伸長させ、ピストンロッド１９´の先端に取り付けた押圧板２１´によって開閉ゲート１５のアーム２３の先端に配設したローラ２４を押圧し、アーム２３を倒すようにして開閉ゲート１５を前方に回動させて開閉ゲート１５を開放するようにしている。
【００２１】
なお、本発明の実施例では、バケット９の開閉ゲート１５が搬送時に開放しないようにストッパー１７を固着しているが、何らこれに限定するものではなく、他のゲート開放阻止手段を採用しても良いし、また案内レール７を２本採用してバケット９を傾倒させないで搬送するようにするとゲート開放阻止手段も採用しなくても良い。
【００２２】
【発明の効果】
本発明に係るアスファルト合材サイロの垂直搬送装置によれば、バケットの下端部に枢支ピンにより回動自在に枢支した開閉ゲートを配設すると共に、前記フレームの上部にはバケット下部の排出口がサイロ本体上部の材料投入口に臨む位置に到達したことを検出するバケット検出センサーを備え、該バケット検出センサーにてバケットがサイロ本体上部の材料投入口に到達したことを検出すれば前記開閉ゲートの一部を押圧して開閉ゲートを開放するシリンダをフレーム側に配設したので、バケットをサイロ本体の材料投入口の上位で停止させた後に開閉ゲートを開放することができ、アスファルト合材を排出させるときに周囲に飛散させることがなく、材料投入口の周囲を汚さずメンテナンスも容易となる。また、ゲート開閉用のシリンダを移動するバケットではなくフレーム側に取り付けることによってエアー供給配管の装置構成も簡素化される。
【図面の簡単な説明】
【図１】本発明に係るアスファルト合材サイロの垂直搬送装置の一実施例を示す正面図である。
【図２】図１の要部拡大図である。
【図３】本発明に係るアスファルト合材サイロの垂直搬送装置の別の実施例の図２に相当する要部拡大図である。
【符号の説明】
１…アスファルト合材サイロ本体    ３…材料投入口
５…垂直搬送装置                  ６…フレーム
７…案内レール                    ９…アスファルト合材搬送用バケット
１４…排出口                      １５…開閉ゲート
１６…枢支ピン                    １７…ストッパー
１８、１８´…シリンダ            １９、１９´…ピストンロッド
２０…ゲートローラ                ２１、２１´…押圧板
２２…バケット検出センサー                ２３…アーム
２４…ローラ
【図１】
0003924362.tif 000002
【図２】
0003924362.tif 000003
【図３】
0003924362.tif 000004